(57)【要約】  本発明は、給水手段が一体で結合されたシンクボウルとして、シンクボウルにおいて、底板１と両側壁板３と前壁板及び後壁板５によって洗滌空間Ｒを形成する上部開放桶形状のシンクボウル本体板１０と、前記底板１に形成された排水孔２０と、前記後壁板５に一体で結合された補助給水部３０と、を含んで構成され、シンクボウルが上面と結合して流し台をなす時流し台の上部に位置した使用者がメイン給水部Ｐまたは前記補助給水部３０を選択的に使用することができるように構成されることを特徴とする。
2019525042.tif 000002
【特許請求の範囲】
【請求項１】
シンクボウルにおいて、
底板１と両側壁板３と前壁板及び後壁板５によって洗滌空間Ｒを形成する上部開放桶形状のシンクボウル本体板１０と、
前記底板１に形成された排水孔２０と、
前記後壁板５に一体で結合された補助給水部３０と、
を含んで構成されて、
シンクボウルが上面と結合して流し台をなす時流し台の上部に位置した使用者がメイン給水部Ｐまたは前記補助給水部３０を選択的に使用することができるように構成されることを特徴とする給水手段が一体で結合されたシンクボウル。
【請求項２】
前記補助給水部３０は、拡張桶３６を経由して前側の前面板３１の給水孔３３に洗滌水が後方から前方に供給される構造であることを特徴とする請求項１に記載の給水手段が一体で結合されたシンクボウル。
【請求項３】
前記補助給水部３０は、パッキング４０が前記前面板３１の後面とシンクボウルの後壁板５との間に介された状態でシンクボウルと結合することを特徴とする請求項１に記載の給水手段が一体で結合されたシンクボウル。
【請求項４】
底板１と両側壁板３と前壁板及び後壁板５によって洗滌空間Ｒを形成するシンクボウルと、
前記シンクボウルの後壁板５に一体で結合形成された補助給水部３０と、
前記シンクボウルの後壁板５上部に前記補助給水部３０と別に離隔されるように位置したメイン給水部Ｐと、
前記補助給水部３０とメイン給水部Ｐに直水を供給する直水供給管Ｔと、
前記直水供給管Ｔから供給される直水をバルブを通じて補助給水部３０またはメイン給水部Ｐに選択的に供給するバルブ作動部５０と、
を含んで構成されることを特徴とする給水手段が一体で結合されたシンクボウルを含む流し台構造。
【発明の詳細な説明】
【技術分野】
【０００１】
本発明は、補助給水手段が一体で結合されたシンクボウルを利用することで、一般に高く設置されてシンクボウル底まで給水の落下距離が大きくてシンクボウル空間に位置した食器と衝突によって水玉が跳ねて流し台にまで洗滌水が濡らされるようになる問題点を解決した給水手段が一体で結合されたシンクボウル及び流し台に関するものである。
【背景技術】
【０００２】
一般家庭には食器などを洗滌できるように流し台が用意されているが、このような流し台には適正大きさのシンクボウル(sink bowl)が用意されていて、このシンクボウルに食器などを盛っておいてからお皿を洗うようになる。きれいな洗滌手入れと併せて料理された食べ物を取った後、食器の洗滌を容易に洗滌できるように水道水の使用を可能にさせる流し台(シンクボウル+上面)の上部に給水装置が設置されるようになる。
【０００３】
従来、流し台に設置され使われる給水装置は、流し台の上部後側に一般に高く設置され、シンクボウル底まで給水の落下距離が大きくてシンクボウル空間に位置した食器と衝突によって水玉が跳ねて流し台上面にまで洗滌水が濡らされるようになる問題点があった。
【０００４】
流し台の水道栓と関連される先行技術として、特許文献１は、流し台の食器の洗い桶と隣合う位置に設置されると共にに水を必要な位置まで引き寄せて使用することができるようになったシャワー器を使用をした後、引き出されたシャワー器が元々の位置に復元されることができるように連結ホースに設置される重り錘を開示する。関連技術として、特許文献２の流し台用水栓金具の節水装置などがある。
【先行技術文献】
【特許文献】
【０００５】
【特許文献１】韓国登録実用新案２０-０４５１３２９号
【特許文献２】韓国登録実用新案２０-０２３６０５１号
【発明の概要】
【発明が解決しようとする課題】
【０００６】
本発明は、補助給水手段が一体で結合されたシンクボウルを利用することで、一般に高く設置されてシンクボウル底まで給水の落下距離が大きくてシンクボウル空間に位置した食器と衝突によって水玉が跳ねて流し台上面にまで洗滌水が濡らされるようになる問題点を解決した給水手段が一体で結合されたシンクボウル及び流し台を提供するためのものである。
【課題を解決するための手段】
【０００７】
本発明の給水手段が一体で結合されたシンクボウルはシンクボウルにおいて、底板と両側壁板と前壁板及び後壁板によって洗滌空間を形成する上部開放桶形状のシンクボウル本体板と、前記底板に形成された排水孔と、前記後壁板に一体で結合された補助給水部を含んで構成され、シンクボウルが上面と結合して流し台をなす時流し台の上部に位置した使用者がメイン給水部または前記補助給水部を選択的に使用することができるように構成される。
【０００８】
補助給水部は、拡張桶を経由して前側の前面板の給水孔に洗滌水が後方から前方に供給される構造であることが望ましい。
【０００９】
補助給水部は、パッキングが前記前面板の後面とシンクボウルの後壁板との間に介された状態でシンクボウルと結合することが望ましい。
【００１０】
本発明の給水手段が一体で結合されたシンクボウルを含む流し台構造は、底板と両側壁板と前壁板及び後壁板によって洗滌空間を形成するシンクボウルと、前記シンクボウルの後壁板に一体で結合形成された補助給水部と、前記シンクボウルの後壁板上部に前記補助給水部と別に離隔されるように位置したメイン給水部と、前記補助給水部とメイン給水部に直水を供給する直水供給管と、前記直水供給管から供給される直水をバルブを通じて補助給水部またはメイン給水部に選択的に供給するバルブ作動部と、を含んで構成されることが望ましい。
【発明の効果】
【００１１】
本発明による場合、使用者が希望する場合、メイン給水台より１０〜３０cm低い位置にシンクボウルの洗滌空間に直水を供給することができる補助給水部を取り入れて、洗滌対象食器の大きさや積もった高さに応じて容易に使用者がメイン給水台または補助給水台を使用することができ、流し台周辺に洗滌水が滲むことを遮断することができる効果がある。
【００１２】
補助給水部をシンクボウルと一体化させることで流し台の設置者は、既存のような方法で容易に両方向給水機能を有する流し台を設置することができる。
【図面の簡単な説明】
【００１３】
【図１】本発明の一実施例による給水手段が一体で結合されたシンクボウル全体構成図である。
【図２】本発明の一実施例による補助給水手段部の斜視図である。
【図３】ａ、ｂ、ｃは、本発明の一実施例による補助給水手段部の詳細図(正面図平面図、側面結合図)である。
【図４】本発明の一実施例によるパッキング詳細図である。
【図５】本発明の一実施例によるメイン給水部及び補助給水部の結合構成図である。
【図６】本発明の一実施例による給水手段結合用シンクボウル構成図である。
【発明を実施するための形態】
【００１４】
以下で、本発明の一実施例による給水手段が一体で結合されたシンクボウル及び流し台に対して添付された図面を参照して詳細に説明する。図１は、本発明の一実施例による給水手段が一体で結合されたシンクボウル全体構成図であり、図２は、本発明の一実施例による補助給水手段部斜視図であり、図３のａ、ｂ、ｃは、本発明の一実施例による補助給水手段部詳細図(正面図平面図、側面結合図)、図４は、本発明の一実施例によるパッキング詳細図であり、図５は、本発明の一実施例によるメイン給水部及び補助給水部の結合構成図である。
【００１５】
図１に示されたように、本発明の給水手段が一体で結合されたシンクボウルを含む流し台構造は、シンクボウルと補助給水部３０とメイン給水部Ｐと直水供給管Ｔとバルブ作動部５０を含んで構成される。シンクボウルは底板１と両側壁板３と前壁板及び後壁板５によって洗滌空間Ｒを形成する。シンクボウルの形状は、必ず図示されたものと同様である必要はないし、通常の公知されたシンクボウルを含む概念である。シンクボウル本体板１０は底板１と両側壁板３と前壁板及び後壁板５によって洗滌空間Ｒを形成する上部開放桶形状である。底板１のおおよそ中央または一側に排水孔２０が形成される。
【００１６】
補助給水部３０は、シンクボウルの後壁板５に一体で結合形成される。メイン給水部Ｐはシンクボウルの後壁板５上部に前記補助給水部３０と別に離隔されるように位置する。直水供給管Ｔは、補助給水部３０とメイン給水部Ｐに直水を供給する。バルブ作動部５０は直水供給管Ｔから供給される直水をバルブを通じて補助給水部３０またはメイン給水部Ｐに選択的に供給する。これで、使用者がバルブ作動部５０を調節してメイン給水部Ｐまたは前記補助給水部３０に選択的に洗滌水が供給される。
【００１７】
図２、図３に示されたように、補助給水部３０は底板１に形成された排水孔２０と、前記後壁板５に一体で結合される。補助給水部３０はシンクボウルが上面と結合して流し台をなす時流し台の上部に位置した使用者がメイン給水部Ｐまたは前記補助給水部３０を選択的に使用することができるようにするためである。
【００１８】
図２、図３のａ、ｂ、ｃに示されたように、補助給水部３０は、後壁板５の前方に前面露出される前面板３１と、前面板３１の中間に切開されて直水をシンクボウルの洗滌空間Ｒに供給する給水孔３３と、前面板３１の後面に形成された締結手段３５と、前記前面板３１の後側に結合し、前方に行くほど拡張される形状であり、前記給水孔３３に直水を供給する拡張桶３６と、前記拡張桶３６の後端に形成されて直水管６１と連通結合される後端結合手段部３７で構成される。
【００１９】
図示されたように、締結手段３５は前面板３１の後面両側に突き出された螺旋棒であることができる。螺旋棒は、後壁板５の締結孔５ｂに通過して反対側でナット３５ａによって締結されることで補助給水部３０がシンクボウルに固定される。図６に示されたように補助給水部３０はシンクボウルに形成された挿入用孔５ａに通過して拡張桶３６が後壁板５の後面に露出される。シンクボウルの後壁板５に挿入用孔５ａが形成されて両側に締結孔５ｂが形成される。パッキングの補助給水部通過用溝４３と挿入用孔５ａの大きさは、ほとんど一致することが望ましい。締結孔５ｂの位置及び大きさは、パッキング板の両側に締結孔４５の位置及び大きさとほとんど一致することが望ましい。
【００２０】
補助給水部３０は、拡張桶３６と後端結合手段部３７がプラスチック樹脂または黄銅鋳物で一体で成形され、後に給水孔３３が形成された前面板３１が結合される方式で生産されることができる。給水孔３３は図示されたように横で長い形状のギャップ(Gap)であることがあるが、複数個の透水孔が均一な形状で開口されている形状であることができるし、これは本発明の範囲に属する。
【００２１】
図３cに示されたように、後端結合手段部３７は外周面に螺旋が形成された雄締結具であり、直水供給管６１の端部に形成された雌締結具６３と回転によって螺旋結合されて密閉されることができる。図示されたものとは異なり後端結合手段部３７は、直水供給管６１の端部とワンタッチ式で結合する公知の手段の形状であることができる。
【００２２】
図４、図１に示されたように、補助給水部３０はパッキング４０が前記前面板３１の後面とシンクボウルの後壁板５との間に介された状態でシンクボウルと結合することが望ましい。図４に示されたように、パッキング４０は四角形状の柔軟性樹脂またはゴム材質のパッキング板の両側に締結孔４５が形成され、中央に補助給水部通過用溝４３が形成される。
【００２３】
図３、図５に示されたように、補助給水部３０の後端結合手段部３７は、直水管６１と結合する。直水供給管ＴはバルブＶを間に置いてメイン給水部Ｐ方向と補助給水部方向に分けられる。バルブＶはバルブ作動部５０によって流路が制御される。
【００２４】
メイン給水部Ｐは、図１、図５に示されたように、流し台の上板の中央に支持設置されることができるが、図示されたものとは異なり流し台が位置した建物の壁面に固定設置されることができる。直水供給管はＴ型管結合具を通じてT字で分岐されることができる。
【００２５】
本発明は、前記で言及した望ましい実施例と関連して説明されたが、本発明の範囲がこのような実施例に限定されるものではなく、本発明の範囲は以下の特許請求範囲によって決められるものとして本発明と均等範囲に属する多様な修正及び変形を含むであろう。
下の特許請求範囲に記載した図面符号は、単純に発明の理解を補助するためのものとして権利範囲の解釈に影響を及ぼさないことを明らかにしながら記載した図面符号によって権利範囲が狭く解釈されてはいけないであろう。
【符号の説明】
【００２６】
１  底板
３  側壁板
５  後壁板
１０  シンクボウル本体板
２０  排水孔
３０  補助給水部
３１  前面板
３３  給水孔
３５  締結手段
３６  拡張桶
３７  結合手段部
４０  パッキング
４５  締結孔
４３  補助給水部通過用溝
５０  バルブ作動部
６１  直水管
Ｒ  洗滌空間
Ｐ  メイン給水部
T  直水供給管
【図１】
2019525042.tif 000003
【図２】
2019525042.tif 000004
【図３（ａ）】
2019525042.tif 000005
【図３（ｂ）】
2019525042.tif 000006
【図３（ｃ）】
2019525042.tif 000007
【図４】
2019525042.tif 000008
【図５】
2019525042.tif 000009
【図６】
2019525042.tif 000010
【国際調査報告】
2019525042.tif 000011
2019525042.tif 000012
2019525042.tif 000013
2019525042.tif 000014